(57)【要約】      （修正有）【課題】使用帯域幅を最適にする一方で、ザッピングの際のチャンネル切り替え時間を削減する方法を提供する。【解決手段】ユーザからの要求によって規定される視聴覚ストリームが、装置上に表示される。ユーザは、判定されたストリームの送信のための通信を設定するためにサーバへのストリームを切り替える旨の第１のコマンドを入力する。サーバは次いで、判定されるストリームを作成し、帯域が削減された少なくとも１つの第２のストリームを作成する。この第２のストリームは、ユーザからの第２のコマンドによって直ちにアクセス可能なストリームに対応する。【選択図】図１
2013243771.tif 000002
【特許請求の範囲】
【請求項１】
双方向接続を使用してサーバから受信器に視聴覚ストリームを送信する方法であって、前記方法は前記サーバによって実施され、前記方法は、  
前記装置上で第１の視聴覚データ・チャンネルの送信に対する第１の要求を受信する工程と、
前記第１の要求の前記受信に応じて、前記第１のチャンネルに対応するフル品位モードにおける第１の視聴覚ストリームを前記受信器に送信する工程と、
前記第１の視聴覚ストリームの送信と同時に前記第１の要求の前記受信に応じて低品位モードにおける少なくとも１つの第２の視聴覚ストリームを前記サーバから前記受信器に送信する工程であって、前記少なくとも１つの第２の視聴覚ストリームは、前記受信器に記憶された視聴覚チャンネルの順序付けされたリスト内の前記第１のチャンネルに後続又は先行する少なくとも１つの第２のチャンネルに対応し、低品位モードにおける前記少なくとも１つの第２の視聴覚ストリームは、低品位モードで送信される前記少なくとも１つの第２のチャンネルに対応する工程と、  
前記少なくとも１つの第２のチャンネルのうちの１つの送信に対する第２の要求を受信する工程であって、前記第２の要求は、前記第１の要求に後続する工程と、
前記第２の要求の前記受信に応じて第３の視聴覚ストリームを前記受信器に向けて送信する工程であって、前記第３の視聴覚ストリームは、フル品位モードで送信された前記少なくとも１つの第２のチャンネルのうちの１つに対応する工程と
を含む方法。
【請求項２】
請求項１記載の、視聴覚ストリームを送信する方法であって、前記第１の要求は、前記第１のチャンネルに後続又は先行する前記少なくとも１つの第２のチャンネルの送信を設定する旨の要求を含む方法。  
【請求項３】
請求項１又は２に記載の、視聴覚ストリームを送信する方法であって、  
前記第２の要求が、低品位モードで前記第２の視聴覚ストリームによって受信された前記第２のチャンネルの表示を前記受信器において引き起こす工程と、  
前記第３の視聴覚ストリームの受信が、フル品位モードで前記第２のチャンネルの前記表示を前記受信器において引き起こす工程と
を更に含む方法。
【請求項４】
請求項１乃至３のうちの何れか一項に記載の、視聴覚ストリームを送信する方法であって、前記サーバから前記受信器への前記送信は、第２のユーザ・コマンドによってアクセス可能な複数の第２の視聴覚ストリームの送信を含み、モザイク画像を前記受信器上に表示する工程は、前記第２の視聴覚ストリームから抽出された視覚コンテンツを表示する方法。
【請求項５】
請求項１乃至４のうちの何れか一項に記載の、視聴覚ストリームを送信する方法であって、低品位モードにおける前記少なくとも１つの第２の視聴覚ストリームが、モザイク画像を送信する視聴覚ストリームから抽出される方法。
【請求項６】
請求項１乃至５のうちの何れか一項に記載の、視聴覚ストリームを送信する方法であって、第２の視聴覚ストリームお気に入りリストを生成する工程を更に含み、前記第２の視聴覚ストリームのうちの１つは、前記お気に入りリスト内をナビゲートすることにより、第２のユーザ要求によって直ちにアクセス可能である方法。
【請求項７】
請求項１乃至６のうちの何れか一項に記載の、視聴覚ストリームを送信する方法であって、フル品位モードで前記第１のチャンネルを表示する工程を前記受信器上に備え、識別子が、前記第２の視聴覚ストリームを識別する方法。
【請求項８】
送信器であって、
双方向接続を使用してネットワークを介して視聴覚ストリームを送信する手段と、
装置に向けた第１の視聴覚チャンネルの送信に対する、受信器から発信される第１の要求を受信する手段であって、前記受信する手段は、前記要求を受信すると、前記第１の視聴覚チャンネルに対応するフル品位モードにおいて第１の視聴覚ストリームを前記受信器に送信するよう前記送信する手段の起動を引き起こす手段と、
前記第１の視聴覚ストリームの送信と同時に、低品位モードにおける少なくとも１つの第２の視聴覚ストリームを前記受信器の要求により、前記受信器に向けて送信する手段であって、前記送信する手段は、前記第１の要求を受信する手段によっても起動され、前記少なくとも１つの第２の視聴覚ストリームそれぞれは、前記受信器に記憶された視聴覚チャンネルの順序付けされたリスト内の前記第１の視聴覚チャンネルに後続又は先行する第２のチャンネルの視聴覚データを送信し、低品位モードにおける前記少なくとも１つの第２の視聴覚ストリームは、低品位モードで送信される前記少なくとも１つの第２のチャンネルに対応する手段と、第３の視聴覚ストリームを送信する手段とを含み、前記少なくとも１つの第２のチャンネルのうちの１つの表示に対する第２の要求を受信するとフル品位モードで送信される前記少なくとも１つの第２のチャンネルのうちの１つに対応し、前記第２の要求は前記第１の要求に後続する送信器。
【請求項９】
受信器であって、
双方向接続を使用してネットワークを介して視聴覚ストリームを受信する手段と、
第１の視聴覚チャンネルの表示に対する第１のコマンドの入力に応じて第１の視聴覚チャンネルに対応するフル品位モードでの第１の視聴覚ストリームの送信に対する第１の要求を送信する手段と、
サーバに、低品位モードにおける少なくとも１つの第２の視聴覚ストリームの送信を要求する手段であって、前記第２の視聴覚ストリームは、前記受信器に記憶された順序付けされたリスト内の前記第１の視聴覚チャンネルに後続又は先行する少なくとも１つの第２のチャンネルに対応する視聴覚ストリームのうちの１つであり、低品位モードにおける前記少なくとも１つの第２の視聴覚ストリームは、低品位モードで送信される前記少なくとも１つの第２のチャンネルに対応する手段と、  
フル品位モードにおける前記第１の視聴覚ストリームの受信と同時に低品位モードにおける前記少なくとも１つの第２の視聴覚ストリームを受信する手段と、
前記少なくとも１つの第２のチャンネルのうちの１つの表示に対する第２のコマンドの入力により、フル品位モードにおける第３の視聴覚ストリームを要求する手段であって、前記第２のコマンドは前記第１のコマンドに後続し、前記第３の視聴覚ストリームは、フル品位モードで送信された前記少なくとも１つの第２のチャンネルのうちの１つに対応する手段と、前記第３の視聴覚チャンネルを受信する手段とを備える受信器。
【請求項１０】
請求項９記載の、視聴覚ストリームの受信器であって、視聴覚チャンネルのリストを入力する手段を更に備える受信器。
【請求項１１】
請求項９又は１０に記載の視聴覚ストリームの受信器であって、前記受信器は、前記少なくとも１つの第２の視聴覚ストリームから抽出された視覚コンテンツを表示するモザイク画像を生成する手段を備える受信器。
【請求項１２】
請求項９乃至１１のうちの何れか一項に記載の、視聴覚ストリームの受信器であって、前記受信する手段は、モザイク画像を送信する視聴覚ストリームを受信し、低品位モードにおける前記少なくとも１つの第２の視聴覚ストリームは、前記少なくとも１つの第２の視聴覚データ・チャンネルに対応する前記モザイク画像の部分から抽出される受信器。
【請求項１３】
請求項９乃至１２のうちの何れか一項に記載の視聴覚ストリームの受信器であって、表示手段は、前記第１のチャンネルをフル品位モードで表示する受信器。
【請求項１４】
双方向接続を使用して受信器により、サーバから視聴覚ストリームを受信する方法であって、前記方法は前記受信器によって実施され、前記方法は、
双方向接続を使用してネットワークを介して視聴覚ストリームを受信する工程と、
第１の視聴覚チャンネルの表示に対する第１のコマンドの入力に応じて第１の視聴覚チャンネルに対応するフル品位モードでの第１の視聴覚ストリームの送信に対する第１の要求を送信する工程と、
前記サーバに、低品位モードにおける少なくとも１つの第２の視聴覚ストリームの送信を要求する工程であって、前記第２の視聴覚ストリームは、前記受信器に記憶された順序付けされたリスト内の前記第１の視聴覚チャンネルに後続又は先行する少なくとも１つの第２のチャンネルに対応する視聴覚ストリームのうちの１つであり、低品位モードにおける前記少なくとも１つの第２の視聴覚ストリームは、低品位モードで送信される前記少なくとも１つの第２のチャンネルに対応する工程と、  
フル品位モードにおける前記第１の視聴覚ストリームの受信と同時に低品位モードにおける前記少なくとも１つの第２の視聴覚ストリームを受信する工程と、
前記少なくとも１つの第２のチャンネルのうちの１つの表示に対する第２のコマンドの入力により、フル品位モードにおける第３の視聴覚ストリームを要求する工程であって、前記第２のコマンドは前記第１のコマンドに後続し、前記第３の視聴覚ストリームは、フル品位モードで送信された前記少なくとも１つの第２のチャンネルのうちの１つに対応する工程とを含む方法。
【請求項１５】
請求項１４記載の方法であって、前記第１の要求は、前記第１のチャンネルに後続又は先行する前記少なくとも１つの第２のチャンネルの送信を設定する旨の要求を含む方法。  
【請求項１６】
請求項１４又は１５に記載の、視聴覚ストリームを受信する方法であって、
前記第２の要求が、低品位モードで前記第２の視聴覚ストリームによって受信された前記第２のチャンネルの表示を前記受信器において引き起こす工程と、
前記第３の視聴覚ストリームの受信が、フル品位モードで前記第２のチャンネルの前記表示を前記受信器において引き起こす工程とを更に含む方法。
【請求項１７】
請求項１４乃至１６のうちの何れか一項に記載の、視聴覚ストリームを受信する方法であって、前記サーバからの低品位モードでの前記少なくとも１つの第２の視聴覚ストリームの前記送信は、第２のユーザ・コマンドによってアクセス可能な複数の第２の視聴覚ストリームの送信を含み、モザイク画像を装置上に表示する工程は、前記第２の視聴覚ストリームから抽出された視覚コンテンツを表示する方法。
【請求項１８】
請求項１４乃至１７のうちの何れか一項に記載の、視聴覚ストリームを受信する方法であって、低品位モードにおける前記少なくとも１つの第２の視聴覚ストリームが、モザイク画像を送信する視聴覚ストリームから抽出される方法。
【請求項１９】
請求項１４乃至１８のうちの何れか一項に記載の、視聴覚ストリームを受信する方法であって、第２の視聴覚ストリームお気に入りリストを生成する工程を更に含み、前記第２の視聴覚ストリームのうちの１つは、前記お気に入りリスト内をナビゲートすることにより、第２のユーザ要求によって直ちにアクセス可能である方法。
【請求項２０】
請求項１４乃至１９のうちの何れかに記載の、視聴覚ストリームを受信する方法であって、前記第１のチャンネルをフル品位モードで表示する工程を更に含む方法。
【発明の詳細な説明】
【技術分野】
【０００１】
本発明は、ユーザによって制御される装置と、サーバとの間で視聴覚ストリームを送信する方法、ユーザ・インタフェースが備えられた、この方法を実施するマルチメディア受信器、及び視聴覚ストリームを送信する送信器に関する。
【背景技術】
【０００２】
ディジタル・テレビジョン・システムでは、視聴可能なチャンネルの数は、非常に大きくなる。数百のチャンネルを、ユーザが視聴可能にすることが可能である。ユーザは、電子番組ガイド（EPG)を用いてチャンネルを選択するか、又は、その受信器に接続されたリモコン上の「番組＋」ボタン又は「番組−」ボタンを押し、通常「ザッピング」と呼ばれているやり方でナビゲートすることによって一チャンネルから別のチャンネルに切り替えることも可能である。最初の場合には、EPGは、いくつかの数のチャンネル上（通常、１６のチャンネル上）で送信される番組のビデオを示す、画像のモザイクから成り得る。前述の画像は小さい。よって、前述の画像それぞれを表示するための視聴覚データには、高い精度は何ら必要ない。このため、ビデオを送信するストリームは、低分解能モードにあり得る。低分解能ストリーム、又は削減されたストリームは、通常のストリームよりもずっと低い帯域幅を有するストリームである。ザッピングの場合には、受信器は、順序付けられたチャンネル・リストを有する。通常、送信ネットワークは、チャンネルに番号、及び、ユーザが後続又は先行チャンネルに飛ぶ際にナビゲーション・プログラムが従う順序が割り当てられる。ユーザは、ネットワークによって提供されるチャンネルから特定のチャンネルを選択することによってお気に入りリストを作成することも可能であり、ユーザは次いで、１つのチャンネルから別のチャンネルにザッピングすることによって自らのリスト内をナビゲートする。
【０００３】
ユーザの装置には、通信ネットワークからのデータ・ストリームDを受信する装置も備えられている。通信は、「マルチキャスト」モード（文字通り、「ポイント・ツー・マルチポイント」モード）、又は、「ユニキャスト」モード（文字通り、「ポイント・ツー・ポイント」モード）で行われる。後者の場合、装置は、視聴覚データ・パケットを受信するために双方向通信手段（好ましくは、高速（例えば、IP  DSL回線（DSLは「ディジタル加入者回線」の略）））を有する。装置は、判定されたチャンネルを受信する旨の要求をネットワークのサーバにアドレス指定し、マルチキャストの場合、ルータは、種々の要求を受信し、これを処理する。
【０００４】
ザッピングしている際には、装置によって送信された番組の画像は、順次画面上に現れる。全ての場合において、切り替え時間は特に、
クライアントとネットワーク・ルータとの間の、コマンドの送信時間、
ストリームを設定する時間、
IPパケット管理バッファの容量（その到着のばらつきを吸収するため）、
ビデオ処理バッファの容量、及び、
次のイントラ符号化画像のためのウェイトを必要とする復号化の再同期化
によって変わってくる。
【０００５】
このことが理由で、チャンネルを切り替える際、画面上の画像はフリーズし、場合によっては黒色画面が現れる。１つの解決策は、チャンネル全てを送信することを伴い、装置は、サーバに要求を何ら送信することなく単純な切り替えのみを行う。しかし、ADSL型のアクセスの場合、利用可能な帯域幅によって、複数の視聴覚ストリームが並列に、永久的に送られることが可能でなく、受信装置上の復号化リソースによって、通常、復号化処理を並列に乗算することも可能でない。したがって、この解決策は満足なものでない。
【０００６】
トムソン社によって出願された特許文献１には、「通常の」ストリームのビット・レートを削減する方法が開示されている。チャンネルを切り替える旨の要求に後続して、復号器は、新たなチャンネルをフル品位モードで受信し、この同じチャンネルを低分解能モードで受信する旨をサーバに要求する。通常のストリーム、及びザッピングに予約されたストリームは、１つの同じチャンネルに多重化される。低分解能チャンネルは、ほぼ直ちに送信可能であり、したがって、ザッピング時間が削減されるが、ゼロには削減されない。実際には、所望のチャンネルの画像が、復号器が要求をサーバに送信した後に現れ、サーバは、これに劣化ストリームを送出する。
【０００７】
OPIEによって出願された特許文献２には、複数の復号器にストリームを送信するサーバが開示されている。ユーザは、自らの復号器上で１つのチャンネルから別のチャンネルへの切り替えを指令する。サーバは、要求に応じて、ユニキャスト・ストリームにおいて少なくとも１つの画像Iを送出する。送信サーバ上の符号器は、通常のオーディオ／ビデオ・ストリームCONVIDを生成する。別のストリーム（FILLVID）は、黒色画像を、真の画像によって置き換えるために生成される。FILLVID画像ストリームによって、ザッピングの際に、よりすばやく切り替えることが可能になる。しかし、前述のストリームは、常に送信される。それによって、前述のチャンネルをユーザが選択しない場合、帯域幅が不必要に占められる。
【特許文献１】国際公開第２００５／１１２４６５号パンフレット
【特許文献２】米国特許出願公開第２００６／０２０９９５号明細書
【特許文献３】米国特許出願公開第２００３／１９６２１１号明細書
【特許文献４】国際公開第０１／７４０６３号パンフレット
【発明の概要】
【発明が解決しようとする課題】
【０００８】
本発明は、使用帯域幅を最適にする一方で、ザッピングの際のチャンネル切り替え時間を削減するという前述の課題に対する新たな解決策を提供する。
【課題を解決するための手段】
【０００９】
本発明の対象は、サーバから装置に視聴覚ストリームを送信する方法であって、装置上で第１の視聴覚データ・チャンネルを視聴するためにコマンドを入力する工程と、第１のコマンドの入力に応じて、この第１のチャンネルに対応する第１のストリームをフル品位モードで装置に送信する工程とを備える方法において、
やはりコマンドの入力に応じて少なくとも１つの第２のストリームをサーバから装置に送信する第２の工程を備え、この第２のストリームは、第１のストリームよりも小さな帯域幅を有しており、第２のチャンネルの視聴覚データを送信し、この第２のチャンネルを、第１のコマンドに後続して第２のコマンドを入力することによって、フル品位におけるストリームによって受信することができることを特徴とする方法である。
【００１０】
このようにして、本発明によって、ユーザがコマンドを用いて、差し迫って選択することが可能な、チャンネル上の低分解能ストリームの利用可能性を利用することが可能である。低分解能ストリームを受信する装置はよって、チャンネルを切り替える旨の、差し迫ったコマンドを予期し得る。
【００１１】
改良策によれば、本発明は、削減された帯域幅を有する第２のストリームによって受信される第２のチャンネルを表示する第１の工程を引き起こす第２のコマンドを入力する工程と、この第２のチャンネルに対応する第３のストリームをフル品位モードで装置に送信する工程とを備え、第３のストリームの受信は、フル品位モードにおける第２のチャンネルの表示を引き起こす。このようにして、ユーザは、チャンネルの切り替えを要求すると、低分解能ストリームから抽出された画像を直ちにみる。次いで、フル品位ストリームが正しく受信された場合、表示は、フル品位ストリームに切り替わる。
【００１２】
別の改良策によれば、第１の表示工程は、削減された帯域幅を有するチャンネルから抽出された画像をアニメ化する工程を備える。このようにして、低分解能ストリームとフル品位ストリームとの間の遷移は、ユーザにとって、驚くべき度合いが低下する。改良策では、アニメ化する工程は、フル品位ストリームによって送信される画像の表示で終わる。それによって、遷移の知覚が更に低下する。
【００１３】
別の改良策によれば、装置は、フル品位モードであっても、帯域幅が削減されていても、サーバによって送信されるチャンネル全てによって送信される画像から成るモザイク画像を表示することが可能である。ユーザは、よって、ザッピング・コマンドの複数の選択肢を有し得るものであり、毎回、コマンドを入力することによって、新たに選択されたチャンネルの画像を直ちにみることが可能である。
【００１４】
改良策によれば、帯域幅が削減されたチャンネルが、モザイク画像を送信するチャンネルから抽出される。このようにして、本発明は、既存のモザイク・ストリームを用いて、そこから、帯域幅が削減されたストリームを抽出する。改良策によれば、装置は、お気に入りチャンネル・リストを作成することが可能である。他のチャンネルは、お気に入りリスト内をナビゲートすることにより、第２のユーザ・コマンドによって直ちにアクセス可能である。よって、各装置がカスタマイズされ、サーバが、チャンネル切り替えコマンドの予期に寄与する。改良策によれば、装置はフル品位モードにおいてチャンネルを表示し、識別子は第２のストリームを識別する。
【００１５】
本発明の別の対象は、ネットワークを介して視聴覚ストリームを送信する手段と、判定されたストリームをフル品位モードにおいて装置に送信するための送信手段の起動を引き起こす、判定されたストリームの送信のための、装置から発信される要求を受信する手段とを備える送信器である。送信器は、帯域幅が削減された少なくとも１つの第２のストリームを上記装置に送信する手段を備える。送信手段はやはり、要求を受信する手段によって起動される。第２のストリームは、判定されたストリームをみる際に装置上に入力されるコマンドによってアクセス可能である。
【００１６】
本発明の別の対象は、ネットワークによって送信される視聴覚ストリームを受信する手段と、受信されたストリームを表示する手段と、ユーザによって選択されるフル品位モードにおけるストリームの送信に対する要求を送信する手段とを備える受信器である。受信器は、帯域幅が削減された少なくとも１つの第２のストリームを受信する手段、並びに、新たなストリームの送信、及び帯域幅が削減されて受信される第２のストリームのコンテンツの表示に対する要求の送信を引き起こす、ストリームを切り替える旨のコマンドを入力する手段も備える。フル品位モードにおける受信が設定されると、新たなストリームがその場合、表示される。
【図面の簡単な説明】
【００１７】
【図１】本発明を実施する視聴覚受信器の構成図である。
【図２】本発明による、サーバの種々の構成要素を示す図である。
【図３ａ】視聴覚受信器とサーバとの間の種々の対話工程を示す図である。
【図３ｂ】視聴覚受信器とサーバとの間の種々の対話工程を示す図である。
【図３ｃ】視聴覚受信器とサーバとの間の種々の対話工程を示す図である。
【図３ｄ】視聴覚受信器とサーバとの間の種々の対話工程を示す図である。
【図４ａ】本発明を実施する画面表示を表す図である。
【図４ｂ】本発明を実施する画面表示を表す図である。
【図４ｃ】本発明を実施する画面表示を表す図である。
【発明を実施するための形態】
【００１８】
次に、本発明は、以下の、例証として表す例示的な実施例の説明の意味合いにおける更なる詳細によって明らかになるであろう。
【実施例】
【００１９】
表示装置２に接続された視聴覚受信器１の動作は、まず図１を用いて説明する。受信器は、プログラム・メモリ（ROM）及び作業メモリ（RAM）４にリンクされた中央処理装置３と、ネットワーク６との双方向通信のためのインタフェース５とを備える。特定の実施例によれば、装置は、グラフィック画面を備えたコンピュータである。ネットワークは通常、インターネットであるが、本発明は、視聴覚ストリームの受信を可能にする何れかのネットワークに関する。フル品位モードにおいてストリーム全てを送信する可能性がないほどに、十分であるが、比較的制限されていなければならない。好ましい例示的な実施例によれば、ネットワークはADSL技術を用いる。受信器は、リモコン８からの信号を受信するための赤外線信号受信器７と、テレビジョン画面２に送出される視聴覚信号を生成するオーディオ／ビデオ復号化ロジック１０とを更に備える。リモコン８は、方向ボタン↑、↓、→、←、並びに、P+、P−及びOKのボタンを備える。これらの用途は、本明細書で後述する。受信器は、データを画面上に表示する回路１１（多くの場合、OSD（画面上表示）回路と呼ばれている）も備える。OSD回路１１はテキスト及びグラフィックスの生成器である。それによって、メニュー又はピクトグラム（例えば、視聴されているチャンネルに対応する数字）の画面上の表示が可能になるか、又は、２つ以上の視聴覚コンテンツの混合が可能になる。OSD回路は、中央処理装置３と、メモリ４に常駐している、「ザッパー」と呼ばれるプログラムとによって制御される。ザッパーは通常、リードオンリー・メモリに入力されるプログラム・モジュール、及びランダムアクセス・メモリに記憶されるパラメータから成る。ザッパーは、例えば、ASICタイプのカスタム回路の形態でも実施可能である。この回路には、セキュリティ機能を備えることが可能である。これによって、支払いの対象の送信をユーザが視聴することにした際に支払いを行うことができる。
【００２０】
受信器は視聴覚送信識別データを、戻りチャンネル６から、又は送信ネットワークから受信する。このデータは、視聴可能なアイテム（例えば、タイトル）、又はトレーラの画像を備える。EPGと、自らのリモコンのボタンとを用いれば、ユーザは、1つ又は複数の送信を選択してそれを受信する。
【００２１】
ストリームを送信する送信器は好ましい実施例によれば、図２に表すDSLAMサーバ２０である。DSLAMサーバ２０は、中央処理装置２．１、プログラム・メモリ２．２、符号化ロジック２．３、及び、前述の受信器との、ネットワーク６を介した複数の双方向リンク２．４を設定する通信インタフェースを備える。DSLAMサーバ２０は、番組の束のチャンネル全てを送信器から受信する。ユーザの要求で、DSLAMはその受信器に、所望の番組を標準品位ストリームすなわちSDストリームにおいて送信する。ネットワーク終端は、低分解能ストリームを生成し、これをDSLAMの符号化ロジック２．３に送信する。この削減されたストリームは、特に番組ガイドに用いることが可能である。現在の傾向は、提示される番組のサムネイル表示をユーザ相互作用において備えることである（ザッピング・パネルの場合、これは、フル画面ビデオの表示と並列である）。
【００２２】
削減されたサイズのストリーム（通常、１６分の１の画像、QCIFとも呼ばれている）の送信を、帯域幅内のストリームに加えて処理することが可能である。フル品位ストリームを、削減されたストリームと並列にリアルタイムで復号化することは、許容可能である。
【００２３】
本発明の種々の構成要素を説明した後、次に、それらがいかにして協調するかを続いて説明する。
【００２４】
ユーザとサーバとの間の種々の対話は、４つの図（図3a、図3b、図3c及び図3d）によって図示する種々の工程によって示す。
【００２５】
図3aによって示す工程３．１では、ユーザは自らのリモコンにチャンネル番号を入力しており、要求がDSLAM２０に送信されている。次いで、通信が設定され、選択されたチャンネルの視聴覚コンテンツが送信される。図3bに示す工程3.2では、受信器１は、背景タスクとしてザッパーを実行し始める。ザッパーは、受信されているチャンネル１を識別し、ユーザが自らのリモコン８のP＋又はP-のボタンを押した場合に直ちにアクセス可能な番組を推定する。通常、ザッピング順序はストリームの番号により、番組送信器によって規定される。よって、次のザッピング・コマンドがチャンネル２を選択することを予期することが可能である。このようにして、サーバは、チャンネル切り替え要求を受信すると、送信しなければならない、削減されたストリームのチャンネルを推定する。変形は、ユーザが、お気に入りリストを規定し、リモコン８上のP+ボタン、P-ボタンを用いてこのリスト内をナビゲートすることを有する。ザッパーは、要求されたフル品位ストリームと、要求されたものに、先行する番組及び／又は後続する番組の、削減されたストリームとを設定する旨の要求をDSLAM２０に送信する。受信器１は次いで、ユーザによって選択されたチャンネルのフル品位ストリームF1と、少なくとも、削減されたストリームF’２（場合によっては、F’３、F’４等）を受信する。表示はリアルタイムであり、直ちにデータの同期化が完了する。
【００２６】
図3cによって示す工程３．３では、ユーザは、自らのリモコン８上のP＋ボタンを押す。ザッパーは、現在送信されているチャンネルF1に続くチャンネルF2を受信する旨の要求をDSLAMに送信する。同時に、ザッパーは、表示する対象のデータの抽出をストリームF1から、削減されたストリームF2に切り替える、データは、表示手段２上のビデオ再生、及びオーディオ信号の送信のためのオーディオ／ビデオ復号化ロジック１０に送出される。このようにして、ザッピング・コマンドは直ちに、所望の番組が現れることをもたらす。ザッパーが、削減されたストリームを用いる限り、再生は、並の品質の再生になるが、ユーザが動作をたどるには十分な品質の再生になる。削減されたストリームは、例えば、小型アニメ化画像（すなわち「サムネイル（imagette）」がモザイク画像内に組み入れられるよう表示されることが企図されている場合、ザッパーは、小型アニメ化画像を拡大し、これをフル画面で表示する。ストリームF2が画像に達し、それによって、それに同調させることが可能になると、表示は、削減されたストリームからフル品位ストリームに切り替わる。
【００２７】
図3dによって示す工程3.4では、DSLAMはフル品位ストリームF2を介して所望の番組を送信する。受信器は、フル品位ストリームからデータを抽出し、更に、表示手段２、及びオーディオ信号の送信のためにオーディオ／ビデオ復号化ロジック１０にこれを送出する。この時点から、ユーザは、最適な再生品質で所望のチャンネルを受信する。DVB＿IP標準は、RTP信号及びRTSP信号を用いて複数のストリーム間の同期化を管理することを推奨する。受信器１は、これらの信号を用いて、削減されたストリームF’iと、対応するフル品位ストリームFiとの間の遷移、及び逆の遷移に対する同期化を確実にする。更に、リモコン８上のP＋ボタン又はP-ボタンを用いてザッピング・コマンドを入力することにより、ユーザによって選択される確率が最大の、新たな番組の、削減されたストリームを設定する旨の要求をDSLAMに送信する。
【００２８】
受信器は、ユーザがチャンネルを切り替えた場合、対応する、削減されたストリームが既に接続されているような位置を採用するために、ユーザが要求しないストリームを要求する。種々の既知の予期ヒューリスティックをここで利用可能である。
【００２９】
改良策によれば、新たなチャンネルがザッピング・コマンドによって選択された後、ザッパーによって識別される後続ストリーム及び先行ストリームのレファレンスが、画面の最下部にあるパネルに現れる。このパネルは数秒後に消える。このようにして、これらのチャンネルをザッピング・コマンドによって直ちに視聴することが可能であることをユーザは分かっている。
【００３０】
前述の記載では、本発明は、ユーザが、コマンドを入力することによってチャンネル間をナビゲートする際のザッピングの意味合いで説明している。本発明は、この意味合いに限定されない。他のイベントが、ユーザの挙動を予期する要求を引き起こすことが可能である。例えば、現在送信されている番組が、他のチャンネル上で同時に送信されている他の番組について触れている場合、受信器１は、ユーザが選択し得る場合に前述の番組を送信するチャンネルの、削減されたストリームをそれに送信する。別のイベントは、おそらく新たなコマンドを入力するためにユーザが手に取った旨を受信器に通知する、リモコン８上のセンサを操って、ユーザがリモコンを捕らえることである。受信器１は、ザッピング・リスト内の現在のものに後続する番組及び先行する番組のストリームをそれに送信する旨をDSLAMに要求することによって、ザッピング・コマンドを予期する。
【００３１】
単純な実施例によれば、ザッパーは、削減された１つのストリームのみを要求する。このストリームは、同じ最後のザッピング・コマンドによってユーザにより選択されたチャンネルに対応するものである。現在の番組をアクセスするためにユーザがP+を押した場合、DSLAMに要求されるのは、後続チャンネルの、削減されたストリームである。現在の番組をアクセスするためにユーザがP-を押した場合、DSLAMに要求されるのは、先行チャンネルの、削減されたストリームである。帯域幅がより集約されたモードでは、P+コマンドによって、又はP-コマンドによってアクセス可能な２つのチャンネルに対応する、削減された２つのストリームをサーバに要求する。
【００３２】
別の実施例によれば、サーバは、サーバ上の、削減されたストリームを集約することによって構成されるモザイク画像を伝送するストリームを送信する。受信器は、ザッピング・コマンドによって要求されたチャンネルの画像をモザイク画像から抽出する。ザッピング・コマンドに後続して、この画像は拡大され、フル画面で現れる。この実施例の利点は、サーバがモザイク・ストリームを常に送信するので、サーバに対する特定の要求が何ら必要でないことである。実施例の変形によれば、サーバはモザイク・ストリームを送信しない。よって、削減された８つのストリームを受信する旨を要求するのはザッパーである。４つのストリームが、1回、2回、3回及び4回「P＋」ボタンを押すことによってアクセス可能なチャンネルに対応し、４つのストリームが、1回、2回、3回及び4回「P-」ボタンを押すことによってアクセス可能なチャンネルに対応する。「M」（「モザイク」の略）ボタンを押すことによって、ザッパーは、削減された８つのストリームによって送信されるビデオ、及びフル品位モードにおいて受信されるストリームを示す。好ましくは、ストリームのビデオ画像は、９つの画像のモザイクの中央にフル品位モードで受信される。このようにして、モザイク画像は非常に短い時間に現れる。ストリームが既に利用可能であるからである。モザイク画像は、９以外の数（例えば、１６個又は２５個の）の画像を備え得る。モザイク・モードでは、「P+」又は「P-」を押すことによって、ユーザは、フル品位モードにおいて受信されたチャンネルを切り替える。装置は、新たなチャンネルを削減モードにおいて受信する旨を要求する要求をサーバに送信する。当初、モザイクは、8個の画像を表示し、次いで、削減された新たなストリーム・チャンネルに対応する９番目の画像を表示する。前述の遅延表示によって、１つのモザイク画像から別のモザイク画像（特に、新たなチャンネルの画像）への切り替えをユーザがよりうまく区別することが可能になる。
【００３３】
削減されたストリームは、通常の画像よりも低い品位の画像を表示するのに用いるストリームである。削減されたストリームは、フル品位系列よりも高速ザッピングを好む短いGOP形式を有し得る（この画像サイズ上の画像Iのオーバヘッドはフル品位モードにおけるオーバヘッドよりも少ない）。
【００３４】
図4a、図4b及び図4cは、ザッピング・コマンドの前に表示された画像及びザッピング・コマンドの後に表示される画像に対する変更を示す。図4aは、フル品位ストリームから抽出された画像を示す。ユーザは、次のチャンネルに切り替える旨のコマンドを起動させる。ザッパーは、削減されたストリームから画像が抽出され、図4bの画面表示が次いで現れる。表示される画像は、並の品質の画像である。特定の時間後、受信器は、フル品位ストリームを設定し、図４cに表す画像（最適な品質の画像）を表示する。
【００３５】
図４において分かるように、ザッピング・コマンドの直後、削減されたストリームから得られる画像は、フル品位モードにおける画像に対して劣化している。改良によって、ユーザの眼に対して、この劣化を一時的にマスクすることが可能である。実際には、削減されたストリームとフル品位ストリームとの間の視覚的な遷移は比較的顕著であり、このことはユーザを驚かせ得る。第１の手法は、画面領域全てを包含するために「ズーム効果」を与えて当初の小型アニメ化画像を順次拡大することによって、劣化画像を表示することから成る。前述のアニメ化は、フル品位ストリームに同調させるのに必要な時間と同様な時間であり得る時間を要する。視覚的には、サイズが変動する画像において、分解能の問題は、より目立たない。画像は、当初小さいので、削減されたストリームから抽出されることはよって、大きくマスクされる。別の手法は、アニメーションを作成することから成る。削減されたストリームから抽出された画像は画面部分として、場合によっては左に、場合によっては右に現れる。別の手法は、回転し、拡大する立方体の２つの側面上に、削減されたストリームから抽出された画像を提示することから成る。回転の終わりに、側面は画面全体を占めており、この時点で、フル品位ストリームへの切り替えが行われる。別の手法は、フェードイン、フェードアウト、又は何れかの他のアニメ化を作成することから成る。この目的は、ユーザの注目を当初の画像の品質からそらすことである。全ての場合、アニメーションは、フル品位ストリームの設定に要する時間、持続する。フル品位ストリームが設定されると、このストリームから抽出されたフル品位画像が表示される。効果的には、この時間は、先行する切り替え時に測定された最長時間に相当する。
【００３６】
ユーザの眼から遷移をマスクする別のやり方は、フィルタを合わせることから成る。通常、受信器は、削減されたストリームから得られる拡大画像と、フル品位画像との間の重み付け平均を算出する。重み付けは、少なくともフル品位ストリームの設定に必要な時間を含む時間内に（100%,0%）から（0%、100%）まで変動する。効果的には、フィルタリング・ステップの時間は、ストリーム設定の時間をかなり超える。これによって、フル品位データを最終的に用い、よって、100%フル品位の画像を達成することが可能である。
【符号の説明】
【００３７】
１  受信器
２  画面
３  中央処理装置
４  プログラム・メモリ
５  双方向ネットワーク・インタフェース
６  双方向ネットワーク
７  リモコン・インタフェース
８  リモコン
１０  オーディオ／ビデオ・インタフェース
２０  送信器
２．１  中央処理装置
２．２  プログラム・メモリ
２．３  データベース
２．４  双方向インタフェース
【図１】
2013243771.tif 000003
【図２】
2013243771.tif 000004
【図３ａ】
2013243771.tif 000005
【図３ｂ】
2013243771.tif 000006
【図３ｃ】
2013243771.tif 000007
【図３ｄ】
2013243771.tif 000008
【図４ａ】
2013243771.tif 000009
【図４ｂ】
2013243771.tif 000010
【図４ｃ】
2013243771.tif 000011
【外国語明細書】
METHOD  OF  TRANSMITTING  AUDIOVISUAL  STREAMS  AHEAD  OF  THE  USER  COMMANDS,  AND  RECEIVER  AND  TRANSMITTER  FOR  IMPLEMENTING  THE  METHOD
TECHNICAL  FIELD  
The  invention  relates  to  a  method  of  transmitting  audiovisual  streams  between  a  device  controlled  by  a  user  and  a  server,  a  multimedia  receiver  provided  with  a  user  interface  for  implementing  the  method  and  a  transmitter  transmitting  the  audiovisual  streams.
BACKGROUND  ART  
In  a  digital  television  system,  the  number  of  channels  available  becomes  very  large.  Several  hundred  channels  can  be  made  available  to  the  user.  The  users  can  select  a  channel  using  an  electronic  programme  guide  (EPG),  or  even  switch  from  one  channel  to  another  by  pressing  the  "Programme+"  or  "Programme-"  buttons  on  the  remote  control  associated  with  their  receiver,  navigating  in  a  way  that  is  commonly  called  "zapping".  In  the  first  case,  the  EPG  can  be  made  up  of  a  mosaic  of  images  showing  the  video  of  the  programmes  transmitted  on  a  certain  number  of  channels,  typically  16  channels.  These  images  are  small,  so  the  audiovisual  data  to  display  each  of  them  does  not  need  any  great  precision,  and  because  of  this  the  streams  that  transmit  the  videos  can  be  in  low  resolution  mode.  A  low-resolution  stream,  or  reduced  stream,  is  a  stream  having  a  bandwidth  that  is  very  much  lower  than  a  normal  stream.  In  the  zapping  case,  the  receiver  has  an  ordered  list  of  channels.  Normally,  the  transmission  network  assigns  the  channels  a  number,  and  the  order  followed  by  the  navigation  programme  when  the  user  hops  to  the  next  channel  or  the  preceding  channel.  The  user  can  also  create  a  favourites  list  by  selecting  certain  channels  from  those  offered  by  the  network,  and  the  user  then  navigates  within  his  list  by  zapping  from  one  channel  to  another.
The  user's  device  is  also  provided  with  a  unit  for  receiving  data  streams  D  from  a  communication  network.  The  communication  is  conducted  either  in  "multicast"  mode  (literally  "point-to-multipoint"  mode),  or  in  "unicast"  mode  (literally  "point-to-point"  mode).  In  the  latter  case,  the  device  has  a  bidirectional  communication  means,  preferably  high  speed,  for  example  an  IP  DSL  line  (DSL  standing  for  "Digital  Subscriber  Line")  to  receive  the  audiovisual  data  packets.  The  device  addresses  a  request  to  a  server  of  the  network  to  receive  a  determined  channel,  in  the  case  of  a  multicast,  a  router  receives  the  various  requests  and  processes  them.
When  zapping,  the  images  of  the  programmes  transmitted  by  the  device  appear  in  succession  on  the  screen.  In  all  cases,  the  switchover  times  depend  in  particular  on:
-  transmission  times  for  commands  between  the  client  and  the  network  router,
-  times  for  setting  up  the  streams,
the  size  of  the  IP  packet  management  buffers,  to  take  up  the  variations  in  the  arrival  of  the  latter,
-  the  size  of  the  video  processing  buffers,
-  the  resynchronization  of  the  decoding  requiring  a  wait  for  the  next  intra-coded  image.
Because  of  this,  when  changing  channels,  the  image  on  the  screen  is  frozen,  and  sometimes  a  black  screen  appears.  One  solution  would  involve  transmitting  all  the  channels,  the  device  performing  only  a  simple  switchover  without  transmitting  any  request  to  the  server.  However,  on  an  ADSL  type  access,  the  available  bandwidth  does  not  allow  for  the  permanent  transit  of  multiple  audiovisual  streams  in  parallel,  and  nor  do  the  decoding  resources  on  the  receiving  device  normally  allow  for  decoding  operations  to  be  multiplied  in  parallel.  This  solution  is  therefore  not  satisfactory.
The  document  WO  2005/112465  filed  by  THOMSON  and  describes  a  method  for  reducing  the  bit  rate  of  the  "normal"  stream.  Following  a  request  to  change  channel,  the  decoder  asks  a  server  to  receive  the  new  channel  in  full-definition  mode  and  this  same  channel  in  low-resolution  mode.  The  normal  streams  and  those  reserved  for  zapping  are  multiplexed  in  one  and  the  same  channel.  The  low-resolution  channel  is  almost  immediately  transmissible  and  therefore  the  zapping  time  is  reduced,  but  not  to  zero.  In  practice,  the  image  of  the  desired  channel  appears  after  the  decoder  transmits  the  request  to  the  server  and  the  server  sends  it  the  degraded  stream.
The  document  US  2006/020995  filed  by  OPIE  describes  a  server  transmitting  streams  to  a  plurality  of  decoders.  A  user  commands  the  switch  from  one  channel  to  another  on  his  decoder.  The  server  sends  on  demand  at  least  one  image  I  in  the  unicast  stream.  The  encoder  on  the  transmission  server  generates  a  conventional  audio/video  stream  CONVID.  Another  stream  (FILLVID)  is  generated  to  replace  the  black  image  with  a  true  image.  The  FILLVID  image  stream  makes  it  possible  to  switch  over  more  quickly  when  zapping.  However,  these  streams  are  constantly  transmitted  which  occupies  a  bandwidth  unnecessarily  if  the  user  does  not  select  these  channels.
BRIEF  SUMMARY  OF  THE  INVENTION  
The  present  invention  provides  a  novel  solution  to  this  problem  of  reducing  the  channel  switchover  time  when  zapping  while  optimizing  the  bandwidth  used.
The  subject  of  the  invention  is  a  method  of  transmitting  audiovisual  streams  from  a  server  to  a  device,  comprising  a  step  for  entering  a  command  in  order  to  view  a  first  audiovisual  data  channel  on  the  device  and  a  step  for  transmitting  to  the  device  a  first  stream  in  full-definition  mode  corresponding  to  this  first  channel  in  response  to  the  entry  of  the  first  command;
characterized  in  that  it  comprises  a  second  step  for  transmitting  from  the  server  to  the  device  at  least  one  second  stream  also  in  response  to  the  entry  of  the  command,  this  second  stream  having  a  smaller  bandwidth  than  the  first  and  transmitting  the  audiovisual  data  of  a  second  channel,  this  second  channel  being  able  to  be  received  by  a  stream  in  full-definition  mode  by  entering  a  second  command  following  the  first  command.
In  this  way,  the  invention  makes  it  possible  to  exploit  the  availability  of  a  low-resolution  stream  on  the  channel  to  which  the  user  can  imminently  select  using  a  command.  The  device  receiving  the  low-resolution  stream  can  thus  anticipate  an  imminent  command  to  change  channel.
According  to  an  improvement,  the  method  comprises  a  step  for  entering  the  second  command  triggering  a  first  step  for  displaying  the  second  channel  received  by  the  second  stream  having  a  reduced  bandwidth  and  a  step  for  transmitting  to  the  device  a  third  stream  in  full-definition  mode  corresponding  to  this  second  channel,  the  reception  of  the  third  stream  triggering  the  display  of  the  second  channel  in  full-definition  mode.  In  this  way,  the  user  immediately  sees  the  image  extracted  from  the  low-resolution  stream  when  he  requests  a  change  of  channel.  Then,  when  the  full-definition  stream  is  correctly  received,  the  display  switches  over  to  the  full-definition  stream.
According  to  another  improvement,  the  first  display  step  comprises  a  step  for  animating  the  image  extracted  from  the  channel  with  a  reduced  bandwidth.  In  this  way,  the  transition  between  the  low-resolution  stream  and  the  full-definition  stream  is  less  surprising  to  the  user.  According  to  an  improvement,  the  animation  step  ends  with  the  display  of  the  images  transmitted  by  the  full-definition  stream,  which  further  reduces  the  perception  of  the  transition.
According  to  another  improvement,  the  device  can  display  a  mosaic  image  made  up  of  the  images  transmitted  by  all  the  channels  transmitted  by  the  server,  whether  in  full-definition  mode  or  with  a  reduced  bandwidth.  The  user  can  thus  have  a  multiple  choice  of  zapping  commands,  and  each  time  by  entering  a  command,  he  can  immediately  see  an  image  of  the  newly  selected  channel.
According  to  an  improvement,  the  channel  with  a  reduced  bandwidth  is  extracted  from  a  channel  transmitting  a  mosaic  image.  In  this  way,  the  invention  uses  an  existing  mosaic  stream  to  extract  therefrom  the  streams  with  a  reduced  bandwidth.  According  to  an  improvement,  the  device  can  create  a  favourites  list  of  channels,  the  other  channel  being  immediately  accessible  by  the  second  user  command  by  navigating  in  said  favourites  list.  Thus,  each  device  is  customized  and  the  server  contributes  to  the  anticipation  of  the  channel  change  commands.  According  to  an  improvement,  the  device  displays  a  channel  in  full-definition  mode  and  identifiers  identifying  the  second  streams.
Another  subject  of  the  invention  is  a  transmitter  comprising  a  means  of  transmitting  audiovisual  streams  over  a  network,  and  a  means  of  receiving  a  request  originating  from  a  device  for  the  transmission  of  a  determined  stream  triggering  the  activation  of  the  transmission  means  to  transmit  the  determined  stream  in  full-definition  mode  to  the  device.  The  transmitter  comprises  a  means  of  transmitting  to  the  same  device  at  least  one  second  stream  with  a  reduced  bandwidth,  said  transmission  means  also  being  activated  by  the  means  of  receiving  the  request,  the  second  stream  being  accessible  by  a  command  entered  on  the  device  when  the  determined  stream  is  being  viewed.
Another  subject  of  the  invention  is  a  receiver  comprising  a  means  of  receiving  audiovisual  streams  transmitted  by  a  network,  a  means  of  displaying  a  received  stream  and  a  means  of  transmitting  a  request  for  the  transmission  of  a  stream  in  full-definition  mode  selected  by  the  user.  The  receiver  also  comprises  a  means  of  receiving  at  least  one  second  stream  with  a  reduced  bandwidth,  a  means  of  entering  a  command  to  change  stream  triggering  the  transmission  of  a  request  for  the  transmission  of  the  new  stream  and  the  display  of  the  content  of  the  second  stream  received  with  a  reduced  bandwidth,  the  new  stream  then  being  displayed  when  the  reception  in  full-definition  mode  is  established.
BRIEF  DESCRIPTION  OF  THE  DRAWINGS  
Figure  1  is  a  block  diagram  of  an  audiovisual  receiver  for  implementing  the  invention,
Figure  2  is  a  diagram  showing  the  various  elements  of  a  server  according  to  the  invention,
Figures  3.a,  3.b,  3.c  and  3.d  illustrate  the  various  dialogue  steps  between  the  audiovisual  receiver  and  the  server;
Figures  4.a,  4.b  and  4.c  represent  screen  appearances  for  implementing  the  invention.
DETAILED  DESCRIPTION  
The  present  invention  will  now  become  apparent  with  more  details  in  the  context  of  the  description  that  follows  of  exemplary  embodiments  given  by  way  of  illustration,  by  referring  to  the  appended  figures.
The  operation  of  an  audiovisual  receiver  1  connected  to  a  display  device  2  will  be  described  first  using  Figure  1.  The  receiver  comprises  a  central  processing  unit  3  linked  to  a  program  memory  (ROM)  and  working  memory  (RAM)  4,  and  an  interface  5  for  a  bidirectional  communication  with  a  network  6.  According  to  a  particular  embodiment,  the  device  is  a  computer  provided  with  a  graphic  screen.  The  network  is  typically  the  Internet  but  the  present  invention  relates  to  any  network  enabling  audiovisual  streams  to  be  received,  the  bit  rate  must  be  sufficient  but  relatively  limited  for  the  possibility  of  transmitting  all  the  streams  in  full-definition  mode  not  to  be  possible.  According  to  a  preferred  exemplary  embodiment,  the  network  uses  ADSL  technology.  The  receiver  further  comprises  a  receiver  of  infrared  signals  7  to  receive  the  signals  from  a  remote  control  8  and  an  audio/video  decoding  logic  10  for  generating  the  audiovisual  signals  sent  to  the  television  screen  2.  The  remote  control  8  is  provided  with  direction  buttons  ↑,  ↓,  →,  ←  and  buttons:  P+,  P-  and  OK,  the  use  of  which  will  be  explained  later  in  the  description.  The  receiver  also  comprises  a  circuit  11  for  displaying  data  on  the  screen  often  called  OSD  (On-Screen  Display)  circuit.  The  OSD  circuit  11  is  a  generator  of  text  and  graphics  which  makes  it  possible  to  display  menus  or  pictograms  (for  example,  a  number  corresponding  to  the  channel  being  viewed)  on  the  screen,  or  which  makes  it  possible  to  mix  two  audiovisual  contents.  The  OSD  circuit  is  controlled  by  the  central  processing  unit  3  and  a  program  called  "zapper"  which  is  resident  in  the  memory  4.  The  zapper  is  typically  made  up  of  a  program  module  entered  into  read-only  memory  and  parameters  stored  in  random-access  memory.  The  zapper  can  also  be  implemented  in  the  form  of  a  custom  circuit,  of  ASIC  type  for  example.  This  circuit  can  be  provided  with  security  functions  making  it  possible  to  make  a  payment  when  a  user  decides  to  view  a  transmission  that  is  subject  to  payment.
The  receiver  receives  audiovisual  transmission  identification  data  from  the  return  channel  6  or  from  the  transmission  network.  This  data  comprises  items  that  can  be  viewed,  the  title  for  example,  or  an  image  of  the  trailer.  Using  an  EPG  and  the  buttons  of  his  remote  control,  the  user  selects  one  or  more  transmissions  in  order  to  receive  them.
The  transmitter  transmitting  the  streams  is,  according  to  a  preferred  embodiment,  a  DSLAM  server  20  which  is  described  in  Figure  2  comprises  a  central  processing  unit  2.1,  a  program  memory  2.2,  an  encoding  logic  2.3  and  a  communication  interface  setting  up  a  plurality  of  bidirectional  links  2.4  across  the  network  6  with  the  receivers  described  previously.  The  DSLAM  server  20  receives  from  a  transmitter  all  the  channels  of  the  bouquet  of  programmes.  At  the  request  of  a  user,  the  DSLAM  transmits  to  its  receiver  the  desired  programme  in  a  standard  definition  or  SD  stream.  The  network  termination  produces  a  low-resolution  stream  and  transmits  it  to  the  encoding  logic  2.3  of  the  DSLAM.  This  reduced  stream  can  be  used  in  particular  for  a  programme  guide.  The  current  trend  is  to  provide,  in  the  user  interaction,  a  thumbnail  display  of  the  programme  that  is  presented  (in  the  case  of  the  zapping  panel,  this  is  in  parallel  with  the  display  of  the  full-screen  video).
The  transmission  of  a  reduced-size  stream  (typically  1/16th  image,  also  called  QCIF)  can  be  taken  up  in  addition  to  a  stream  in  the  bandwidth.  The  real  time  decoding  of  a  full-definition  stream  in  parallel  with  a  reduced  stream  is  acceptable.
After  having  described  the  various  elements  of  the  invention,  we  will  now  go  on  to  explain  how  they  cooperate.
The  various  dialogues  between  the  user  and  the  server  are  illustrated  by  the  various  steps  illustrated  by  the  four  figures  3.a,  3.b,  3.c  and  3.d.
In  the  step  3.1  illustrated  by  Figure  3.a,  the  user  has  entered  a  channel  number  on  his  remote  control,  the  request  has  been  transmitted  to  the  DSLAM  20.  Then,  the  communication  is  set  up  and  the  audiovisual  content  of  the  selected  channel  is  transmitted.  In  the  step  3.2  illustrated  in  Figure  3.b,  the  receiver  1  starts  running  the  zapper  as  a  background  task.  The  zapper  identifies  the  channel  1  being  received  and  deduces  from  it  the  programmes  that  are  immediately  accessible  if  the  user  presses  the  P+  or  P-  button  of  his  remote  control  8.  Typically,  the  zapping  order  is  defined  by  the  programme  transmitter  by  the  numbers  of  the  streams,  so  it  is  possible  to  expect  that  the  next  zapping  command  will  select  the  channel  2.  In  this  way,  the  server,  on  receiving  the  channel  change  request,  deduces  which  reduced  stream  channel  it  has  to  transmit.  A  variant  consists  in  the  user  defining  a  favourites  list  and  navigating  within  this  list  using  the  P+,  P-buttons  on  the  remote  control  8.  The  zapper  transmits  to  the  DSLAM  20  a  request  to  set  up  the  requested  full-definition  stream  and  the  reduced  streams  of  the  programmes  following  and/or  preceding  the  one  requested.  The  receiver  1  then  receives  the  full-definition  stream  F1  of  the  channel  selected  by  the  user  and  at  least  the  reduced  stream  F'2  (possibly  F'3,  F'4,  etc.).  The  display  is  in  real  time,  immediately  the  synchronization  of  the  data  is  completed.
In  the  step  3.3  illustrated  by  Figure  3.c,  the  user  presses  the  P+  button  on  his  remote  control  8.  The  zapper  transmits  a  request  to  the  DSLAM  to  receive  the  channel  F2  which  follows  the  channel  F1  currently  being  transmitted.  At  the  same  time,  the  zapper  switches  the  extraction  of  the  data  to  be  displayed  from  the  stream  F1  to  the  reduced  stream  F'2,  the  data  is  sent  to  the  audio/video  decoding  logic  10  for  video  playback  on  the  display  means  2  and  the  transmission  of  audio  signals.  In  this  way,  the  zapping  command  immediately  results  in  the  appearance  of  the  desired  programme.  Inasmuch  as  the  zapper  uses  a  reduced  stream,  the  playback  will  be  of  mediocre  quality  but  sufficient  for  the  user  to  follow  the  action.  If  the  reduced  stream  is  designed  to  display  a  small  animated  image  (or  "imagette")  for  it  to  be  incorporated  in  a  mosaic  image  for  example,  the  zapper  enlarges  the  small  animated  image  and  displays  it  full  screen.  When  the  stream  F2  arrives  at  an  image  that  makes  it  possible  to  tune  into  it,  the  display  switches  from  the  reduced  stream  to  the  full-definition  stream.
In  the  step  3.4  illustrated  by  Figure  3.d,  the  DSLAM  transmits  the  desired  programme  via  a  full-definition  stream  F2.  The  receiver  extracts  the  data  from  the  full-definition  stream  and  sends  it  to  the  audio/video  decoding  logic  10  for  video  playback  on  the  display  means  2  and  the  transmission  of  audio  signals.  From  this  moment,  the  user  receives  the  desired  channel  with  an  optimal  playback  quality.  The  DVB_IP  standard  recommends  the  use  of  RTP  and  RTSP  signals  to  manage  the  synchronization  between  multiple  streams.  The  receiver  1  uses  these  signals  to  ensure  the  synchronization  on  transitions  between  a  reduced  stream  F'i  and  the  corresponding  full-definition  stream  Fi,  and  vice  versa.  Then,  the  zapper  transmits  to  the  DSLAM  a  request  to  set  up  the  reduced  streams  of  the  new  programmes  that  have  the  greatest  probability  of  being  selected  by  the  user  by  entering  zapping  commands  using  the  P+  or  P-  buttons  on  the  remote  control  8.
It  will  be  noted  that  the  receiver  requests  streams  that  the  user  does  not  request,  in  order  to  adopt  a  position  such  that,  if  the  user  changes  channel,  the  corresponding  reduced  stream  is  already  connected.  Various  known  anticipation  heuristics  may  be  usable  here.
According  to  an  improvement,  just  after  a  new  channel  has  been  selected  by  a  zapping  command,  the  references  of  the  following  and  preceding  streams  that  are  identified  by  the  zapper  appear  in  a  panel  at  the  bottom  of  the  screen.  This  panel  disappears  after  a  few  seconds.  In  this  way,  the  user  knows  that  these  channels  can  immediately  be  viewed  by  a  zapping  command.
In  the  above  text,  the  invention  is  described  in  the  context  of  zapping,  when  the  user  is  navigating  from  channel  to  channel  by  entering  a  command.  The  invention  is  not  limited  to  this  context,  other  events  can  trigger  requests  that  anticipate  the  behaviour  of  the  user.  For  example,  when  the  programme  currently  being  transmitted  mentions  other  programmes  transmitted  on  other  channels  at  the  same  time,  the  receiver  1  asks  the  DSLAM  to  transmit  to  it  the  reduced  streams  of  channels  transmitting  these  programmes  in  case  the  user  might  select  one.  Another  event  is  the  user  taking  hold  of  the  remote  control,  handling  sensors  on  the  remote  control  8  informing  the  receiver  that  the  user  has  taken  the  remote  control  probably  in  order  to  enter  a  new  command.  The  receiver  1  anticipates  the  zapping  command  by  asking  the  DSLAM  to  transmit  to  it  the  streams  of  the  programmes  following  and  preceding  the  current  one  in  the  zapping  list.
According  to  a  simple  embodiment,  the  zapper  requests  only  one  reduced  stream.  This  stream  is  the  one  corresponding  to  the  channel  selected  by  the  user  by  the  same  last  zapping  command.  If,  to  access  the  current  programme,  the  user  has  pressed  P+,  then  it  is  the  reduced  stream  of  the  following  channel  that  is  requested  of  the  DSLAM.  If,  to  access  the  current  programme,  the  user  has  pressed  P-,  then  it  is  the  reduced  stream  of  the  preceding  channel  that  is  requested  of  the  DSLAM.  In  a  more  bandwidth-intensive  mode,  the  zapper  asks  the  server  for  two  reduced  streams  corresponding  to  the  two  channels  that  can  be  accessed  either  by  the  P+  command  or  by  the  P-  command.
According  to  another  embodiment,  the  server  transmits  a  stream  transporting  a  mosaic  image  made  up  by  aggregating  reduced  streams  on  the  server.  The  receiver  extracts  from  the  mosaic  image  the  image  of  the  channel  requested  by  the  zapping  command,  this  image  is  enlarged  and  appears  full  screen  following  the  zapping  command.  The  advantage  of  this  embodiment  is  that  the  server  constantly  transmits  the  mosaic  streams,  so  there  is  no  need  for  any  specific  request  to  the  server.  According  to  a  variant  of  embodiment,  the  server  does  not  transmit  mosaic  streams,  so  that  it  is  the  zapper  which  asks  to  receive  eight  reduced  streams,  four  streams  corresponding  to  the  channels  that  can  be  accessed  by  pressing  the  "P+"  button  once,  twice,  three  times  and  four  times,  and  four  streams  corresponding  to  the  channels  that  can  be  accessed  by  pressing  the  "P-"  button  once,  twice,  three  times  and  four  times.  By  pressing  the  "M"  (for  "mosaic")  button,  the  zapper  shows  the  videos  transmitted  by  the  eight  reduced  streams  and  the  stream  received  in  full-definition  mode,  preferably  the  video  image  of  the  stream  received  in  full-definition  mode  being  in  the  middle  of  the  mosaic  of  nine  images.  In  this  way,  the  mosaic  image  appears  in  a  very  short  time  since  the  streams  are  already  available.  The  mosaic  image  can  comprise  a  number  of  images  other  than  nine,  for  example  16  or  25.  In  the  mosaic  mode,  by  pressing  "P+"  or  "P-",  the  user  changes  the  channel  received  in  full-definition  mode.  The  device  sends  a  request  to  the  server  asking  to  receive  a  new  channel  in  reduced  mode.  Initially,  the  mosaic  displays  eight  images,  then  the  ninth  corresponding  to  the  new  reduced  stream  channel.  This  delayed  appearance  enables  the  user  to  better  distinguish  the  changes  from  one  mosaic  image  to  another,  and  in  particular  the  image  of  the  new  channel.
A  reduced  stream  is  a  stream  used  to  display  an  image  of  lower  definition  than  a  normal  image.  The  reduced  stream  can  have  a  short  GOP  form  which  favours  faster  zapping  than  the  full-definition  sequence  (the  overhead  of  the  images  I  on  this  image  size  is  less  than  in  full-definition  mode).
Figures  4.a,  4.b  and  4.c  show  the  changes  to  the  images  displayed  before  and  after  a  zapping  command.  Figure  4.a  shows  the  image  extracted  from  a  full-definition  stream.  The  user  activates  a  command  to  switch  to  the  next  channel.  The  zapper  extracts  the  image  from  the  reduced  stream  and  the  screen  appearance  of  Figure  4.b  then  appears.  The  image  displayed  is  of  mediocre  quality.  After  a  certain  time,  the  receiver  sets  up  the  full-definition  stream  and  displays  the  image  represented  in  Figure  4.c,  which  is  of  optimal  quality.
As  can  be  seen  in  Figures  4,  just  after  the  zapping  command,  the  image  taken  from  the  reduced  stream  is  degraded  relative  to  the  image  in  full-definition  mode.  Improvements  make  it  possible  to  temporarily  mask  this  degradation  to  the  eyes  of  the  user.  In  practice,  the  visual  transition  between  the  reduced  stream  and  the  full-definition  stream  is  relatively  marked,  which  can  surprise  the  user.  A  first  approach  consists  in  displaying  the  degraded  image,  by  giving  it  a  "zoom  effect"  to  progressively  expand  the  starting  small  animated  image  to  cover  all  the  screen  area.  Such  an  animation  takes  a  time  that  can  be  the  same  as  the  time  needed  to  tune  into  the  full-definition  stream.  Visually,  in  an  image  with  varying  size,  the  resolution  problems  are  less  noticeable.  Since  the  image  is  small  at  the  outset,  the  fact  that  it  is  extracted  from  a  reduced  stream  is  thus  largely  masked.  Another  approach  consists  in  creating  an  animation,  the  image  extracted  from  the  reduced  stream  appears  as  a  screen  portion,  sometimes  on  the  left,  sometimes  on  the  right.  Another  approach  consists  in  presenting  the  image  extracted  from  the  reduced  stream  on  two  sides  of  a  rotating  and  enlarging  cube.  At  the  end  of  the  rotation,  the  side  occupies  the  entire  screen  and  it  is  at  this  moment  that  the  switchover  to  the  full-definition  stream  occurs.  Another  approach  consists  in  creating  a  fade-in,  fade-out  or  any  other  animation,  the  aim  of  which  is  to  divert  the  attention  of  the  user  from  the  quality  of  the  initial  images.  In  all  cases,  the  animation  lasts  for  the  time  it  takes  to  set  up  the  full-definition  stream.  When  the  full-definition  stream  is  set  up,  the  full-definition  image  extracted  from  this  stream  is  displayed.  Advantageously,  this  time  corresponds  to  the  longest  time  measured  on  a  previous  switchover.
Another  way  of  masking  the  transition  from  the  eyes  of  the  users  consists  in  fitting  a  filter.  Typically,  the  receiver  calculates  a  weighted  average  between  the  enlarged  image  taken  from  the  reduced  stream  and  the  full-definition  image.  The  weighting  varies  from  (100%,  0%)  to  (0%,  100%)  in  a  time  that  comprises  at  least  the  time  needed  to  set  up  the  full-definition  stream.  Advantageously,  the  time  of  the  filtering  step  significantly  exceeds  that  of  setting  up  the  stream,  which  makes  it  possible  ultimately  to  use  the  full-definition  data  and  so  achieve  a  100%  full-definition  image.
1.     A  method  of  transmitting  audiovisual  streams  from  a  server  to  a  receiver  using  a  bidirectional  connection,  said  method  being  implemented  by  said  server,  said  method  comprising:  
receiving  a  first  request  for  transmission  of  a  first  audiovisual  data  channel  on  the  device;
transmitting  to  the  receiver  a  first  audiovisual  stream  in  full  resolution  mode  corresponding  to  the  first  channel  in  response  to  the  reception  of  the  first  request;
transmitting  from  the  server  to  the  receiver  at  least  one  second  audiovisual  stream  in  low  resolution  mode  in  response  to  the  reception  of  the  first  request  simultaneously  with  the  transmission  of  the  first  audiovisual  stream,  the  at  least  one  second  audiovisual  stream  corresponding  to  at  least  one  second  channel    following  or  preceding  the  first  channel  within  an  ordered  list  of  audiovisual  channels  stored  in  the  receiver,  the  at  least  one  second  audiovisual  stream  in  low-resolution  mode  corresponding  to  said  at  least  one  second  channel,  transmitted  in  low-resolution  mode;  
receiving  a  second  request  for  transmission  of  one  of  said  at  least  one  second  channel,  the  second  request  following  the  first  request;
transmitting  to  the  receiver  a  third  audiovisual  stream  in  response  to  the  reception  of  the  second  request,  the  third  audiovisual  stream  corresponding  to  one  of  the  at  least  one  second  channel  transmitted  in  full-resolution  mode.
2.     The  method  of  transmitting  audiovisual  streams  according  to  claim  1,  wherein  the  first  request  comprises  a  request  to  set  up  a  transmission  of  said  at  least  one  second  channel  following  or  preceding  said  first  channel.  
3.     The  method  of  transmitting  audiovisual  streams  according  to  claim  1  or  2,  further  comprising:  
the  second  request  triggering  in  the  receiver  the  displaying  of  the  second  channel  received  by  the  second  audiovisual  stream  in  low  resolution  mode  and  
the  reception  of  the  third  audiovisual  stream  triggering  in  the  receiver  the  display  of  the  second  channel  in  full  resolution  mode.
4.     The  method  of  transmitting  audiovisual  streams  according  to  any  of  claims  1  to  3,  wherein  the  transmitting  from  the  server  to  the  receiver  consists  in  transmitting  a  plurality  of  second  audiovisual  streams  accessible  by  second  user  commands,  and  displaying  on  the  receiver  a  mosaic  image  displaying  the  visual  contents  extracted  from  said  second  audiovisual  streams.
5.     The  method  of  transmitting  audiovisual  streams  according  to  any  of  claims  1  to  4,    wherein  the  at  least  one  second  audiovisual  stream  in  low  resolution  mode  is  extracted  from  an  audiovisual  stream  transmitting  a  mosaic  image.
6.     The  method  of  transmitting  audiovisual  streams  according  to  any  of  claims  1  to  5,  further  comprising  creating  a  second  audiovisual  stream  favorites  list,  one  of  the  second  audiovisual  streams  being  immediately  accessible  by  the  second  user  request  by  navigating  in  said  favorites  list.
7.     The  method  of  transmitting  audiovisual  streams  according  to  any  of  claims  1  to  6,  further  comprising,  on  the  receiver,  displaying  the  first  channel  in  full  resolution  mode  and  identifiers  identifying  the  second  audiovisual  streams.
8.     A  transmitter  comprising:
a  means  of  transmitting  audiovisual  streams  over  a  network  using  a  bidirectional  connection;
a  means  of  receiving  a  first  request  originating  from  a  receiver  for  transmission  of  a  first  audiovisual  channel  to  said  device,  said  means  of  receiving,  upon  said  receiving  a  request,  triggering  the  activation  of  the  transmission  means  to  transmit  a  first  audiovisual  stream  in  full  resolution  mode  to  the  receiver,  corresponding  to  the  first  audiovisual  channel;  and
a  means  of  transmitting  to  the  receiver  upon  request  of  the  receiver  at  least  one  second  audiovisual  stream  in  low  resolution  mode  simultaneously  with  the  transmission  of  the  first  audiovisual  stream,  said  transmission  means  also  being  activated  by  the  means  of  receiving  the  first  request,  each  of  the  at  least  one  second  audiovisual  stream  transmitting  audiovisual  data  of  a  second  channel  following  or  preceding  the  first  audiovisual  channel  within  an  ordered  list  of  audiovisual  channels  stored  in  the  receiver,  the  at  least  one  second  audiovisual  stream  in  low-resolution  mode  corresponding  to  said  at  least  one  second  channel,  transmitted  in  low-resolution  mode,  and  means  for  transmitting  a  third  audiovisual  stream,  the  third  audiovisual  stream  corresponding  to  one  of  said  at  least  one  second  channel  transmitted  in  full-  resolution  mode,  upon  reception  of  a  second  request  for  viewing  one  of  said  at  least  one  second  channel,  the  second  request  following  the  first  request.
9.     A  receiver  comprising:
a  means  of  receiving  audiovisual  streams  over  a  network  using  a  bidirectional  connection;
a  means  of  transmitting  a  first  request  for  transmission  of  a  first  audiovisual  stream  in  full  resolution  mode  corresponding  to  a  first  audiovisual  channel  in  response  to  entry  of  a  first  command  for  viewing  of  said  first  audiovisual  channel;
a  means  of  requesting  a  transmission  of  at  least  one  second  audiovisual  stream  in  a  low  resolution  mode  from  a  server,  the  second  audiovisual  stream  being  one  of  audiovisual  streams  corresponding  to  at  least  one  second  channel  following  or  preceding  the  first  audiovisual  channel  within  an  ordered  list  stored  in  the  receiver,  the  at  least  one  second  audiovisual  stream  in  low-resolution  mode  corresponding  to  said  at  least  one  second  channel,  transmitted  in  low-resolution  mode;  and  
a  means  for  receiving  the  at  least  one  second  audiovisual  stream  in  low-  resolution  mode  simultaneously  with  a  reception  of  the  first  audiovisual  stream  in  full-resolution  mode;  and
a  means  for  requesting  a  third  audiovisual  stream  in  full  resolution  mode  upon  entry  of  a  second  command  for  viewing  one  of  said  at  least  one  second  channel,  the  second  command  following  the  first  command,  the  third  audiovisual  stream  corresponding  to  one  of  the  at  least  one  second  channel  transmitted  in  full  resolution  mode,  and  a  means  for  receiving  said  third  audiovisual  channel.
10.    The  receiver  of  audiovisual  streams  according  to  Claim  9,  further  comprising  a  means  of  entering  a  list  of  audiovisual  channels.
11.    The  receiver  of  audiovisual  streams  according  to  claim  9  or  10,  wherein  the  receiver  comprising  a  means  of  creating  a  mosaic  image  displaying  the  visual  contents  extracted  from  said  at  least  one  second  audiovisual  streams.
12.    The  receiver  of  audiovisual  streams  according  to  any  of  claims  9  to11,  wherein  the  reception  means  receives  an  audiovisual  stream  transmitting  mosaic  images,  the  at  least  one  second  audiovisual  streams  in  low  resolution  mode  being  extracted  from  parts  of  the  mosaic  image  corresponding  to  the  at  least    one  second  audiovisual  data  channel.
13.    The  receiver  of  audiovisual  streams  according  to  any  of  claims  9  to  12,  wherein  a  display  means  displays  the  first  channel  in  full-definition  mode.
14.    A  method  of  receiving  audiovisual  streams  from  a  server  by  a  receiver  using  a  bidirectional  connection,  said  method  being  implemented  by  said  receiver,  said  method  comprising:
receiving  audiovisual  streams  over  a  network  using  a  bidirectional  connection;
transmitting  a  first  request  for  transmission  of  a  first  audiovisual  stream  in  full  resolution  mode  corresponding  to  a  first  audiovisual  channel  in  response  to  entry  of  a  first  command  for  viewing  of  said  first  audiovisual  channel;
requesting  a  transmission  of  at  least  one  second  audiovisual  stream  in  a  low  resolution  mode  from  said  server,  the  second  audiovisual  stream  being  one  of  audiovisual  streams  corresponding  to  at  least  one  second  channel  following  or  preceding  the  first  audiovisual  channel  within  an  ordered  list  stored  in  the  receiver,  the  at  least  one  second  audiovisual  stream  in  low-resolution  mode  corresponding  to  said  at  least  one  second  channel,  transmitted  in  low-resolution  mode;  and  
receiving  the  at  least  one  second  audiovisual  stream  in  low-resolution  mode  simultaneously  with  a  reception  of  the  first  audiovisual  stream  in  full-resolution  mode;  and
requesting  a  third  audiovisual  stream  in  full  resolution  mode  upon  entry  of  a  second  command  for  viewing  one  of  said  at  least  one  second  channel,  the  second  command  following  the  first  command,  the  third  audiovisual  stream  corresponding  to  one  of    the  at  least  one  second  channel  transmitted  in  full  resolution  mode.
15.    The  method  according  to  claim  14,  wherein  the  first  request  comprises  a  request  to  set  up  a  transmission  of  said  at  least  one  second  channel  following  or  preceding  said  first  channel.  
16.    The  method  of  receiving  audiovisual  streams  according  to  claim  14  or  15,  further  comprising:  
the  second  request  triggering  in  the  receiver  the  displaying  of  the  second  channel  received  by  the  second  audiovisual  stream  in  low  resolution  mode  and  
the  reception  of  the  third  audiovisual  stream  triggering  in  the  receiver  the  display  of  the  second  channel  in  full  resolution  mode.
17.    The  method  of  receiving  audiovisual  streams  according  to  any  of  claims  14  to  16,  wherein  the  transmission  of  the  at  least  one  second  audiovisual  stream  in  a  low  resolution  mode  from  the  server  consists  in  transmitting  a  plurality  of  second  audiovisual  streams  accessible  by  second  user  commands,  and  displaying  on  the  device  a  mosaic  image  displaying  the  visual  contents  extracted  from  said  second  audiovisual  streams.
18.    The  method  of  receiving  audiovisual  streams  according  to  any  of  claims  14  to  17,  wherein  the  at  least  one  second  audiovisual  stream  in  low  resolution  mode  is  extracted  from  an  audiovisual  stream  transmitting  a  mosaic  image.
19.    The  method  of  receiving  audiovisual  streams  according  to  any  of  claims  14  to  18,  further  comprising  creating  a  second  audiovisual  stream  favorites  list,  one  of  the  second  audiovisual  streams  being  immediately  accessible  by  the  second  user  request  by  navigating  in  said  favorites  list.
20.    The  method  of  receiving  audiovisual  streams  according  to  any  of  claims  14  to  19,  further  comprising,  displaying  the  first  channel  in  full  resolution  mode.
1.      Abstract
The  present  invention  relates  to  a  method  of  transmitting  audiovisual  streams  between  at  least  one  device  controlled  by  a  user  and  a  server.  The  audiovisual  streams  specified  by  the  requests  from  the  user  are  displayed  on  the  device.  The  user  enters  a  first  command  to  change  stream  to  the  server  in  order  to  set  up  a  communication  for  the  transmission  of  the  determined  stream.  The  server  then  creates  the  determined  stream  and  at  least  one  second  stream  with  a  reduced  bandwidth.  This  second  stream  corresponds  to  a  stream  that  is  immediately  accessible  by  a  second  command  from  the  user.
The  invention  also  relates  to  a  receiver  and  a  transmitter  for  implementing  the  method.
2.      Representative  drawing
Fig  1
【図１】
2013243771.tif 000012
【図２】
2013243771.tif 000013
【図３ａ】
2013243771.tif 000014
【図３ｂ】
2013243771.tif 000015
【図３ｃ】
2013243771.tif 000016
【図３ｄ】
2013243771.tif 000017
【図４ａ】
2013243771.tif 000018
【図４ｂ】
2013243771.tif 000019
【図４ｃ】
2013243771.tif 000020